(57)【特許請求の範囲】
【請求項１】
浴槽水を風呂戻り管を通して風呂追い焚き用熱交換缶体に導いて加熱し、更に風呂往き管を通して浴槽に循環させるようにした風呂追い焚き運転装置であって、前記風呂追い焚き用熱交換缶体よりも下流側にある風呂往き管に風呂温度センサを配置することで、風呂追い焚き用熱交換缶体で加熱された温水温度を検出することができるようにすると共に、風呂追い焚き運転がオンされた場合のコントローラの制御構成として、先ず循環ポンプだけを駆動して未加熱状態の循環水温度Ｔ１  を前記風呂温度センサで検出した後、前記風呂追い焚き用熱交換缶体による加熱を開始すると共に加熱開始初期の既加熱状態の循環水温度Ｔ２  を前記風呂温度センサで検出し、この既加熱状態の循環水温度Ｔ２  と前記未加熱状態の循環水温度Ｔ１  とから風呂追い焚き用熱交換缶体によって加熱された上昇温度（Ｔ２  −Ｔ１  ）を演算すると共に加熱停止目標温度ＴＭ  として風呂設定温度ＴＳ  に前記風呂追い焚き用熱交換缶体による上昇温度（Ｔ２  −Ｔ１  ）を加えた程度の値を設定し、風呂温度センサが加熱停止目標温度ＴＭ  を検出した時点で風呂追い焚き用熱交換缶体による加熱を停止させる構成としたことを特徴とする風呂追い焚き運転装置。
【発明の詳細な説明】
【０００１】
【産業上の利用分野】
本発明は風呂追い焚き運転装置に関する。
【０００２】
【従来の技術】
図３は従来の風呂追い焚き運転装置の例を示す構成図である。図示しない浴槽の浴槽水を風呂戻り管１１を通して風呂追い焚き用熱交換缶体２０に導いて加熱し、更に風呂往き管１２を通して浴槽に循環させるようになされている。前記風呂戻り管１１と風呂往き管１２とで風呂追い焚き循環路を構成する。前記風呂戻り管１１には風呂水位センサ３１、循環ポンプ３２、水流スイッチ３３が設けられる他、浴槽温度を検出する風呂温度センサ３４が設けられている。また前記風呂追い焚き循環路の風呂戻り管１１には図示しない給湯器からの温水給湯路４０が落とし込み弁４１を介して接続され、必要に応じて温水を浴槽内に落とし込み給湯することができるようになされている。
風呂の追い焚き運転は、追い焚き運転スイッチがオンされることで、循環ポンプ３２が駆動され、これによって水流スイッチ３３がオンすると風呂追い焚き用熱交換缶体２０のバーナ２１の燃焼が開始され、循環水の加熱が開始される。そして運転中において前記風呂戻り管１１側に設けた風呂温度センサ３４が風呂設定温度以上を検出すると、バーナ２１の燃焼を停止し、風呂追い焚き用熱交換缶体２０による加熱を終了するようになされていた。
【０００３】
【発明が解決しようとする課題】
ところが上記のように、風呂温度センサ３４を風呂戻り管１１に配した場合は、浴槽から循環してくる浴槽水の温度を検出しやすい反面、風呂追い焚き用熱交換缶体２０を通って加熱された循環水の温度を検出できないので、例えば人が入浴している場合に風呂追い焚きを通常時よりも緩やかに行うことができるようにするマイルド追い焚きの機能を導入しようとした場合、風呂追い焚き用熱交換缶体２０によって加熱される温水の加熱程度を細かく制御することができない問題があった。また前記風呂追い焚き用熱交換缶体２０に生じる水滴対策を行う場合に、風呂追い焚き用熱交換缶体２０のバーナ２１による燃焼程度を調節するのに、風呂追い焚き用熱交換缶体２０を通って加熱される循環水の加熱程度が判らないと燃焼程度の細かい調節もできないという問題があった。
一方、風呂温度センサ３４を風呂往き管１２の方に配置すると、追い焚き運転中には風呂追い焚き用熱交換缶体２０に入る前の循環水の温度を測ることができないので、浴槽から風呂戻り管１１に流れてくる浴槽水の温度、即ち風呂温度を検出することができないという問題があった。
【０００４】
そこで、本発明は上記従来装置の欠点を解消し、風呂温度センサ３４を風呂追い焚き用熱交換缶体２０の下流である風呂往き管１２に配置して、風呂追い焚き用熱交換缶体２０を通って加熱された循環水の温度を検出することができるようにし、これによって循環水の加熱の程度、即ち燃焼の程度の調節を可能にすることができるようにすると共に、風呂往き管１２に配置した風呂温度センサ３４を用いても風呂温度を風呂設定温度になるように追い焚きを行うことができる風呂追い焚き運転装置の提供を目的とする。
【０００５】
【課題を解決するための手段】
上記目的を達成するため、本発明の風呂追い焚き運転装置は、浴槽水を風呂戻り管を通して風呂追い焚き用熱交換缶体に導いて加熱し、更に風呂往き管を通して浴槽に循環させるようにした風呂追い焚き運転装置であって、前記風呂追い焚き用熱交換缶体よりも下流側にある風呂往き管に風呂温度センサを配置することで、風呂追い焚き用熱交換缶体で加熱された温水温度を検出することができるようにすると共に、風呂追い焚き運転がオンされた場合のコントローラの制御構成として、先ず循環ポンプだけを駆動して未加熱状態の循環水温度Ｔ１  を前記風呂温度センサで検出した後、前記風呂追い焚き用熱交換缶体による加熱を開始すると共に加熱開始初期の既加熱状態の循環水温度Ｔ２  を前記風呂温度センサで検出し、この既加熱状態の循環水温度Ｔ２  と前記未加熱状態の循環水温度Ｔ１  とから風呂追い焚き用熱交換缶体によって加熱された上昇温度（Ｔ２  −Ｔ１  ）を演算すると共に加熱停止目標温度ＴＭ  として風呂設定温度ＴＳ  に前記風呂追い焚き用熱交換缶体による上昇温度（Ｔ２  −Ｔ１  ）を加えた程度の値を設定し、風呂温度センサが加熱停止目標温度ＴＭ  を検出した時点で風呂追い焚き用熱交換缶体による加熱を停止させる構成としたことを特徴としている。
【０００６】
【作用】
上記本発明の特徴によれば、風呂追い焚き用熱交換缶体よりも下流側にある風呂往き管側に風呂温度センサを配置することで、風呂追い焚き用熱交換缶体を通って出てきた循環水の温度を確実に検出することができる。よって風呂追い焚き用熱交換缶体を通って加熱される循環水の微妙な加熱程度を調節、及び風呂追い焚き用熱交換缶体のバーナの燃焼程度の微妙な調節が可能となり、マイルド追い焚きが可能となり、また風呂追い焚き用熱交換缶体に生じる水滴の解消を図ることが可能となる。
また一方、風呂追い焚き運転中においては、循環水の加熱開始前の未加熱状態の循環水温度Ｔ１  と加熱開始初期の既加熱状態の循環水温度Ｔ２  とを上手く測ることで、循環水が追い焚き用熱交換缶体を１回通ることで加熱上昇する温度、即ち循環水の上昇温度（Ｔ２  −Ｔ１  ）を得ることができる。この上昇温度（Ｔ２  −Ｔ１  ）は追い焚き運転中において変わらないとすれば、風呂温度が風呂設定温度ＴＳ  になった時には、風呂温度センサが検出する温度は、風呂設定温度ＴＳ  ＋上昇温度（Ｔ２  −Ｔ１  ）となると考えることができる。よって、加熱停止目標温度ＴＭ  として前記風呂設定温度ＴＳ  に前記風呂追い焚き用熱交換缶体による上昇温度（Ｔ２  −Ｔ１  ）を加えた程度の値を設定し、その加熱停止目標温度ＴＭ  を風呂温度センサが検出した時に加熱を停止することで、実質上において風呂温度を風呂設定温度ＴＳ  になるよう追い焚きを行うことができるのである。
【０００７】
【実施例】
図１は本発明の実施例を示す風呂追い焚き運転装置の構成図で、図２は本発明装置のコントローラの制御機構を説明するフローチャートである。
【０００８】
図１において、追い焚き循環路の風呂戻り管１１を通して図示しない浴槽の浴槽水が風呂追い焚き用熱交換缶体２０に導かれ、加熱され、更に風呂往き管１２を通して浴槽に循環される。前記風呂戻り管１１には風呂水位センサ３１、循環ポンプ３２、水流スイッチ３３が設けられている。風呂戻り管１１には図示しない給湯器からの温水給湯路４０が落とし込み弁４１を介して接続され、必要に応じて温水を浴槽内に落とし込み給湯することができるようになされている。
一方、本発明に係る実施例では風呂往き管１２側に風呂温度センサ３４が設けられている。
前記風呂追い焚き用熱交換缶体２０には燃焼量を切り換え調節することができるバーナ２１が設けられており、瞬間加熱式の缶体２０によって導入された循環水が加熱される。
装置全体の運転制御はマイコン内蔵のコントローラ５０によって行われ、リモコン６０からの指令や風呂水位センサ３１、水流スイッチ３３、風呂温度センサ３４等の装置各部のセンサ類からの情報を入力し、所定のソフトウエアによって、演算、判定を行って、バーナ２１、循環ポンプ３２、落とし込み弁４１、その他の装置各部に所定の動作指令を出力する。
【０００９】
コントローラ５０の保有する風呂の追い焚き運転制御機構を図２のフローチャートを参照して説明する。
今、追い焚き運転スイッチがオンされると、コントローラ５０は先ず循環ポンプ３２を駆動する（Ｓ１）。これによって水流スイッチ３３がオンすると、コントローラ５０は風呂追い焚き用熱交換缶体２０のバーナ２１の燃焼を開始しない状態、即ち風呂追い焚き用熱交換缶体２０による循環水の加熱を行わない状態で、浴槽水が風呂往き管１２の風呂温度センサ３４に循環するのに十分な時間として予め定めた一定時間を待って、前記風呂温度センサ３４で循環水温度Ｔを検出する（Ｓ２）。この温度Ｔを未だ追い焚きが現実になされていない未加熱状態の循環水温度Ｔ１  として記憶する。
【００１０】
未加熱状態の循環水温度Ｔ１  を検出した後、コントローラ５０は風呂追い焚き用熱交換缶体２０のバーナ２１の燃焼を開始する（Ｓ３）。バーナ２１の燃焼開始により浴槽からの循環水の加熱が開始される。
そしてコントローラ５０は燃焼開始による循環水の加熱開始初期において、風呂温度センサ３４により循環水温度Ｔを再度検出する（Ｓ４）。前記加熱開始初期においては、未だ加熱がなされていない浴槽水が浴槽から風呂戻り管１１を通って風呂追い焚き用熱交換缶体２０に入り、そこで初めて加熱されて風呂往き管１２に流れて行くという状態にあり、従ってそのような状態において風呂温度センサ３４が検出した循環水温度Ｔを加熱開始初期の既加熱状態の循環水温度Ｔ２  として検出することで、循環水が風呂追い焚き用熱交換缶体２０を通ることによる温度上昇度合いを得ることができるのである。即ち加熱開始初期とは、未だ加熱のなされていない浴槽水が缶体２０を通って初めて加熱される状態にある期間をいうことになる。
前記温度Ｔ２  を検出すると、コントローラ５０は前記検出した加熱開始初期の既加熱状態の循環水温度Ｔ２  と先に検出している未加熱状態の循環水温度Ｔ１  とから風呂追い焚き用熱交換缶体２０による上昇温度（Ｔ２  −Ｔ１  ）を演算する（Ｓ５）。
【００１１】
前記上昇温度（Ｔ２  −Ｔ１  ）が演算されると、コントローラ５０は更に風呂追い焚き用熱交換缶体２０による加熱を停止する加熱停止目標温度ＴＭ  を次の式１で演算する（Ｓ６）。
【００１２】
ＴＭ  ＝ＴＳ  ＋ｋ（Ｔ２  −Ｔ１  ）  ・・・式１
ここでＴＭ  ：加熱停止目標温度
ＴＳ  ：風呂設定温度
（Ｔ２  −Ｔ１  ）：上昇温度
ｋ：係数
【００１３】
前記式１において、風呂追い焚き用熱交換缶体２０による上昇温度（Ｔ２  −Ｔ１）が追い焚き運転中において変わらないとすれば、風呂温度が風呂設定温度ＴＳになった時には、風呂温度センサが検出する温度は、風呂設定温度ＴＳ  ＋上昇温度（Ｔ２  −Ｔ１  ）となると考えることができる。よって、加熱停止目標温度ＴＭとして前記風呂設定温度ＴＳ  に前記風呂追い焚き用熱交換缶体による上昇温度（Ｔ２  −Ｔ１  ）を加えた値を基本的に設定することができるが、風呂追い焚き用熱交換缶体２０へ導入される循環水の温度（入水温度）による吸熱率の変化やその他の要因を考慮して、係数ｋを上昇率（Ｔ２  −Ｔ１  ）に掛けた値を風呂設定温度ＴＳ  に加えて加熱停止目標温度ＴＭ  を設定している。この係数ｋは予め、実験によって１に近い値として得ておく。
【００１４】
前記加熱停止目標温度ＴＭ  を演算した後、コントローラ５０は風呂温度センサ３４が検出する循環水温度Ｔが前記加熱停止目標温度ＴＭ  以上になるか否かを監視し（Ｓ７）、未満の間（Ｓ７でノー）はバーナ２１の燃焼による循環水の加熱を続け、以上（Ｓ７でイエス）になった時点でバーナ２１の燃焼を停止（オフ）する（Ｓ８）。そしてバーナ２１の燃焼停止により風呂追い焚き用熱交換缶体２０による加熱がなされなくなるので、その時点でコントローラ５０は再度風呂温度センサ３４の検出する温度Ｔが風呂設定温度ＴＳ  以上になっているか否かを確認し（Ｓ９）、以上（Ｓ９でイエス）であれば循環ポンプ３２を停止（オフ）して追い焚き運転を終了する（Ｓ１０）。もし未満（Ｓ９でノー）の場合には、バーナ２１を再燃焼させ（Ｓ１１）、ステップＳ７に戻る。この場合、再燃焼による多少の継続時間を確保するようにする。
【００１５】
【発明の効果】
本発明は以上の構成、作用よりなり、請求項１に記載の風呂追い焚き運転装置によれば、風呂追い焚き用熱交換缶体よりも下流側にある風呂往き管に風呂温度センサを配置することで、風呂追い焚き用熱交換缶体で加熱された温水温度を検出することができるようにしたので、これによって循環水の加熱の程度を調節することが可能となり、例えば人が入浴している場合に風呂追い焚きを通常時よりも緩やかに行うことができるようにするマイルド追い焚きの機能を導入することができる。また風呂追い焚き用熱交換缶体でのドレンの発生を抑制するのに好適な出湯温度への調節やバーナ燃焼の調節等が可能となる。
また風呂追い焚き用熱交換缶体による上昇温度（Ｔ２  −Ｔ１  ）や加熱停止目標温度ＴＭ  を得るようにコントローラの制御機構を構成したので、風呂往き管側に風呂温度センサを配置しても、更に別の温度センサを付加することなく、風呂温度を風呂設定温度になるように追い焚き運転を行うことができる。
【図面の簡単な説明】
【図１】本発明の実施例を示す風呂追い焚き運転装置の構成図である。
【図２】本発明装置のコントローラの制御機構を説明するフローチャートである。
【図３】従来装置を示す構成図である。
【符号の説明】
１１  風呂戻り管
１２  風呂往き管
２０  風呂追い焚き用熱交換缶体
２１  バーナ
３２  循環ポンプ
３４  風呂温度センサ
５０  コントローラ
【図１】
0003550733.tif 000002
【図２】
0003550733.tif 000003
【図３】
0003550733.tif 000004